(57)【特許請求の範囲】
【請求項１】
加熱ユニットと、
ヘアトリートメント剤が入った取り外し可能なホルダと係合可能なユニットと、
前記取り外し可能なホルダの存在を検出する検出器と、
を含み、
前記取り外し可能なホルダの存在下で、前記取り外し可能なホルダは、前記加熱ユニットを覆い、
前記取り外し可能なホルダの存在下での前記加熱ユニットの温度は、前記ヘアトリートメント剤が前記ホルダから放出されるように、前記取り外し可能なホルダの不在下での対応する温度よりも自動的に高く設定されるか、又は、前記取り外し可能なホルダの存在下での前記加熱ユニットの温度は、前記取り外し可能なホルダの不在下での対応する温度よりも少なくとも１０度自動的に高く設定される、ヘアスタイリングデバイス。
【請求項２】
前記ヘアスタイリングデバイスはプロセッサを有し、前記検出器は、前記取り外し可能なホルダが前記加熱ユニットと係合されると、前記加熱ユニットの温度を高く設定するための信号を前記プロセッサに送る、請求項１に記載のヘアスタイリングデバイス。
【請求項３】
前記取り外し可能なホルダの存在下での前記加熱ユニットの温度の設定は、前記取り外し可能なホルダの不在下での対応する温度の設定よりも少なくとも１０℃高い、請求項１又は２に記載のヘアスタイリングデバイス。
【請求項４】
前記取り外し可能なホルダの存在下での前記加熱ユニットの温度の設定は、前記取り外し可能なホルダの不在下での対応する温度の設定よりも２０℃高い、請求項３に記載のヘアスタイリングデバイス。
【請求項５】
前記温度の設定は、ユーザによって選択可能であり、前記取り外し可能なホルダの存在下での前記加熱ユニットの各温度の設定は、前記取り外し可能なホルダの不在下での対応する温度の設定よりも高い、請求項１乃至４の何れか一項に記載のヘアスタイリングデバイス。
【発明の詳細な説明】
【技術分野】
【０００１】
本発明は、ヘアスタイリングデバイスに関する。
【背景技術】
【０００２】
米国特許出願公開第２０１２／００１７９３２号は、ヘアトリートメント剤が入った取り外し可能なホルダを有するヘアスタイリングデバイスにおいて、加熱温度が、好適には、使用するヘアトリートメント剤に応じて変更可能であることについて開示している。このような構造では、加える温度（加熱温度）は、好適には、使用するヘアトリートメント剤、ヘアトリートメント剤の入ったホルダの特性、及び、スタイリングされるべき髪の状態に応じて制御される。
【発明の概要】
【発明が解決しようとする課題】
【０００３】
本発明は、特に、改良されたヘアスタイリングデバイスを提供することを目的とする。本発明は、独立請求項によって規定される。有利な実施形態は、従属請求項に規定される。
【課題を解決するための手段】
【０００４】
加熱ユニットと、ヘアトリートメント剤が入った取り外し可能なホルダと係合可能なユニットと、当該取り外し可能なホルダの存在を検出する検出器とを含むヘアスタイリングデバイスにおいて、当該取り外し可能なホルダの存在下で、当該取り外し可能なホルダは、加熱ユニットを覆い、当該取り外し可能なホルダの存在下での加熱ユニットの温度は、当該取り外し可能なホルダの不在下での対応する温度よりも高く自動的に設定される。
【０００５】
本発明のヘアスタイリングデバイスは、付属品、即ち、ヘアトリートメント剤が入った取り外し可能なホルダ（例えばスリーブの形をしている）が、加熱プレートに取り付け可能という拡張機能を有する。スリーブは、髪を真っ直ぐにする際に髪に放出される有効成分を含む。成分／オイル放出の機能を得るためには、通常のストレート・アイロンの動作に必要な温度よりも高い温度が必要であるところ、本発明の結果、本発明によって、スリーブの存在が検出されると温度の設定が自動的に高くされるので、消費者が自分自身によって温度を変更する必要がない。
【０００６】
本発明のこれらの及び他の態様は、以下に説明される実施形態を参照することにより明らかとなろう。
【図面の簡単な説明】
【０００７】
【図１】図１は、本発明の一実施形態によるヘアスタイリングデバイスの顎部を示す。
【図２】図２は、本発明の一実施形態によるヘアスタイリングデバイスの顎部を示す。
【図３】図３は、本発明の一実施形態によるヘアスタイリングデバイスの顎部を示す。
【図４】図４は、本発明の一実施形態によるヘアスタイリングデバイスの顎部を示す。
【発明を実施するための形態】
【０００８】
図１は、加熱プレート１１とスリーブスライディングカバー１３とを有する、本発明の一実施形態によるヘアスタイリングデバイス（例えばストレート・ヘア・アイロン、即ち、ヘア・アイロン）の顎部を示す。
【０００９】
図２は、スリーブ２１の形をしたヘアトリートメント剤が入った取り外し可能なホルダが、図１の顎部上に取り付けられている様子を示す。スリーブ２１が設置されると、スリーブスライディングカバー１３は、後方に移動する。
【００１０】
図３及び図４は、図１の顎部の内側を示す。参照符号３１は、スリーブスライディングカバー１３の下側を示す。スリーブ解放ブラケット３３が、圧縮バネ３７と係合する。圧縮バネ３７は、スリーブ２１が設置されると、後方に押される。したがって、スリーブ解放ブラケットは、ヘアトリートメント剤が入った取り外し可能なホルダ２１と係合可能なユニット３３として作用する。レバー３５がスイッチ３９と係合する。スイッチ３９は、スリーブ２１の存在を検出する検出器として作用する。スリーブスライディングカバー１３／３１は、スリーブ解放ブラケット３３とレバー３５との間の界面であり、したがって、スリーブ２１が設置されたときに、スリーブ解放ブラケット３３が右に動くと、レバー３５も動き、これにより、スイッチ３９と係合する。このようにして、ヘアスタイリングデバイスは、スリーブ２１が設置されたかどうかを検出することができ、検出は、加熱プレート１１の温度の設定の変更をトリガする。
【００１１】
したがって、スリーブ２１が設置されると、スリーブ２１は、スリーブ解放ブラケット３３及びスリーブスライディングカバー１３を後方に押し、内部のレバー３５が、スリーブスライディングカバー１３によって、特定の角度距離を動き、これは、検出スイッチ３９をトリガする。検出スイッチ３９は、ヘアスタイリングデバイスを、より高い温度の設定に設定するプロセッサに信号を送る。
【００１２】
スリーブ２１が外されると、スリーブ解放ブラケット３３、スリーブスライディングカバー１３及びレバー３５が、圧縮バネ３７の保持力によって、元の位置に戻り、ヘアスタイリングデバイスの温度の設定も、通常モードに戻る。
【００１３】
図１乃至図４は、ストレート・ヘア・アイロンの１つの脚部しか示していないが、両脚部にスリーブが付けられてもよい。一実施形態では、ヘアスタイリングデバイスは、スリーブの存在下で温度の設定が高くなっていることを示す、例えばＬＥＤ又はディスプレイであるインジケータを有する。
【００１４】
一例では、スリーブ２１の存在下での温度の設定は、スリーブ２１の不在下に比べて、少なくとも１０℃高い。例えば１９０℃ではなく２１０℃である。
【００１５】
別の例では、ユーザは、３つの異なる温度の設定から選択してもよい。この場合、これらの温度の設定は、スリーブ２１の存在下では、それぞれ、例えば次の通りに２０℃高い。
【表１】
0006009687.tif 000002
【００１６】
なお、上記実施形態は、本発明を例示するものであって、限定するものではない。当業者であれば、添付の請求項の範囲から離れることなく、多くの代替実施形態をデザインできよう。例えば１つの代替実施形態において、スイッチ３９は、スリーブ解放ブラケット３３と直接係合してもよい。図示される実施形態におけるレバー３５は、動作を大きくするという利点を有する。請求項において、括弧内に置かれた任意の参照符号は、請求項を制限しているものと解釈されるべきではない。「含む」との用語は、請求項に列挙された要素又はステップ以外の要素又はステップを排除するものではない。要素に先行する「ａ」又は「ａｎ」との用語も、当該要素が複数存在することを排除するものではない。本発明は、幾つかの別個の要素を含むハードウェアによって、及び／又は、適切にプログラムされたプロセッサによって実現される。幾つかの手段を列挙する装置クレームにおいて、これらの手段のうちの幾つかは、全く同一のハードウェアによって具現化されてもよい。特定の手段が相互に異なる従属請求項に記載されるからといって、これらの手段の組み合わせを有利に使用することができないことを示すものではない。
【図１】
0006009687.tif 000003
【図２】
0006009687.tif 000004
【図３】
0006009687.tif 000005
【図４】
0006009687.tif 000006